(57)【要約】【課題】  生産制御システムの操業を監視し、更には解析するのに好適なデータを得ることができるようにする。【解決手段】  サーバ装置３００では、生産制御システム２００から設備の異常、材料のトラッキング、操業状態といった操業イベント情報の通知を待ち、操業イベント情報の通知をあった場合、同時に設備データ、操業データ、品質データ等を受信する。また、操業イベント情報の通知に同期して、カメラ制御設定情報を画像処理装置１００に送信するとともに、そのカメラ制御設定情報に応じた画像データを伝送してもらう。さらに、上記のように操業イベント情報の通知に同期して画像処理装置１００から伝送される画像データを、生産制御システム２００から通知された操業イベント情報、更には設備データ、操業データ、品質データ等と関連付けてデータベース３０１に記録して管理する。【選択図】  図１
2005135303.tif 000002
【特許請求の範囲】
【請求項１】
撮像装置により撮像される画像データを取得してデジタル信号に変換する画像処理装置と、生産設備を制御するための生産制御システムと、上記画像処理装置及び上記生産制御システムそれぞれと通信可能な業務支援装置とを備えたネットワークシステムであって、
上記業務支援装置は、上記生産制御システムと連携して、上記画像処理装置に対して上記撮像装置の制御指示及び上記デジタル信号に変換された画像データの伝送指示の少なくともいずれかを行う制御手段を備えることを特徴とするネットワークシステム。
【請求項２】
上記制御手段は、上記生産制御システムから通知される操業イベント情報に基づいて、上記画像処理装置に対して上記撮像装置の制御指示及び上記デジタル信号に変換された画像データの伝送指示の少なくともいずれかを行うことを特徴とする請求項１に記載のネットワークシステム。
【請求項３】
上記業務支援装置は、上記画像処理装置から伝送される画像データを、上記操業イベント情報を少なくとも含む情報と関連付けて記録装置に記録して管理する管理手段を備えることを特徴とする請求項２に記載のネットワークシステム。
【請求項４】
上記業務支援装置は、上記撮像装置の操作のためのユーザインターフェースを有することを特徴とする請求項１〜３のいずれか１項に記載のネットワークシステム。
【請求項５】
上記業務支援装置は、画像データを端末に配信する配信手段を備えることを特徴とする請求項１〜４のいずれか１項に記載のネットワークシステム。
【請求項６】
撮像装置により撮像される画像データを取得してデジタル信号に変換する画像処理装置、及び、生産設備を制御するための生産制御システムそれぞれとネットワークを介して通信可能な業務支援装置であって、
上記生産制御システムと連携して、上記画像処理装置に対して上記撮像装置の制御指示及び上記デジタル信号に変換された画像データの伝送指示の少なくともいずれかを行う制御手段を備えることを特徴とする業務支援装置。
【請求項７】
上記制御手段は、上記生産制御システムから通知される操業イベント情報に基づいて、上記画像処理装置に対して上記撮像装置の制御指示及び上記デジタル信号に変換された画像データの伝送指示の少なくともいずれかを行うことを特徴とする請求項６に記載の業務支援装置。
【請求項８】
上記画像処理装置から伝送される画像データを、上記操業イベント情報を少なくとも含む情報と関連付けて記録装置に記録して管理する管理手段を備えることを特徴とする請求項７に記載の業務支援装置。
【請求項９】
撮像装置が接続されるとともに、生産設備を制御するための生産制御システムと通信する業務支援装置とネットワークを介して通信可能とされた画像処理装置であって、
上記撮像装置により撮像される画像データを取得する取得手段と、
上記取得手段により取得した画像データをデジタル信号に変換する変換手段と、
上記業務支援装置からの指示に応じて、上記撮像装置の制御及び上記変換手段によりデジタル信号に変換された画像データの伝送の少なくともいずれかを行う手段とを備えることを特徴とする画像処理装置。
【請求項１０】
撮像装置により撮像される画像データを取得してデジタル信号に変換する画像処理装置と、生産設備を制御するための生産制御システムと、上記画像処理装置及び上記生産制御システムそれぞれと通信可能な業務支援装置とをネットワーク化して、上記生産制御システムを用いた業務を支援する業務支援方法であって、
上記業務支援装置が、上記生産制御システムと連携して、上記画像処理装置に対して上記撮像装置の制御指示及び上記デジタル信号に変換された画像データの伝送指示の少なくともいずれかを行う手順を有することを特徴とする業務支援方法。
【請求項１１】
撮像装置による撮像される画像データを取得してデジタル信号に変換する画像処理装置、及び、生産設備を制御するための生産制御システムそれぞれとネットワークを介して通信可能なコンピュータにおいて実行されるコンピュータプログラムであって、
上記生産制御システムと連携して、上記画像処理装置に対して上記撮像装置の制御指示及び上記デジタル信号に変換された画像データの伝送指示の少なくともいずれかを行う制御処理を上記コンピュータに実行させることを特徴とするコンピュータプログラム。
【請求項１２】
撮像装置が接続されるとともに、生産設備を制御するための生産制御システムと通信する業務支援装置とネットワークを介して通信可能とされたコンピュータにおいて実行されるコンピュータプログラムであって、
上記撮像装置により撮像される画像データを取得する処理と、
上記取得した画像データをデジタル信号に変換する処理と、
上記業務支援装置からの指示に応じて、上記撮像装置の制御及び上記変換手段によりデジタル信号に変換された画像データの伝送の少なくともいずれかを行う処理とを上記コンピュータに実行させることを特徴とするコンピュータプログラム。
【発明の詳細な説明】
【技術分野】
【０００１】
本発明は、画像データの伝送を伴うネットワークシステム、業務支援装置、画像処理装置、業務支援方法、及びコンピュータプログラムに関し、例えば生産制御システムの操業を監視し、更には解析するのに利用して好適なものである。
【背景技術】
【０００２】
セキュリティ分野等にみられるように、ＷｅｂメディアサーバがＷｅｂカメラから画像データを収集し、その画像をネットワーク上のパーソナルコンピュータにて汎用ブラウザや専用ソフトウェア等を利用してモニタリングできるようにしたネットワークシステムが実現化されている。
【０００３】
このように画像データの伝送を伴うネットワークシステムに関して、例えば特許文献１には、複数の端末モニタからの要求に応答して配信処理し、ネットワークを介して遠隔地や複数の端末モニタへ画像圧縮データを同時に伝送し表示することができるようにした画像伝送システムが開示されている。
【０００４】
【特許文献１】特開２００１−１５６９８１号公報
【発明の開示】
【発明が解決しようとする課題】
【０００５】
しかしながら、これまでのネットワークシステムでは、ネットワーク上のパーソナルコンピュータにてモニタリングできるだけであり、Ｗｅｂカメラにより撮像される画像データを時々刻々と変化するイベントと関連付けるようなことはなされていない。
【０００６】
例えば生産制御システムの制御分野等において、Ｗｅｂカメラにより撮像される画像データを生産制御システムで時々刻々と変化するイベントと関連付けるようにすることができれば、生産制御システムの操業を監視し、更には解析するのに好適なデータを得ることが可能になる。
【０００７】
本発明は上記のような点に鑑みてなされたものであり、生産制御システムと連携して、ネットワーク上の画像処理装置に対して撮像装置の制御指示や画像データの伝送指示を行うようにして、生産制御システムの操業を監視し、更には解析するのに好適なデータを得ることができるようにすることを目的とする。
【課題を解決するための手段】
【０００８】
本発明のネットワークシステムは、撮像装置により撮像される画像データを取得してデジタル信号に変換する画像処理装置と、生産設備を制御するための生産制御システムと、上記画像処理装置及び上記生産制御システムそれぞれと通信可能な業務支援装置とを備えたネットワークシステムであって、上記業務支援装置は、上記生産制御システムと連携して、上記画像処理装置に対して上記撮像装置の制御指示及び上記デジタル信号に変換された画像データの伝送指示の少なくともいずれかを行う制御手段を備える点に特徴を有する。
また、本発明のネットワークシステムの他の特徴とするところは、上記制御手段は、上記生産制御システムから通知される操業イベント情報に基づいて、上記画像処理装置に対して上記撮像装置の制御指示及び上記デジタル信号に変換された画像データの伝送指示の少なくともいずれかを行う点にある。
また、本発明のネットワークシステムの他の特徴とするところは、上記業務支援装置は、上記画像処理装置から伝送される画像データを、上記操業イベント情報を少なくとも含む情報と関連付けて記録装置に記録して管理する管理手段を備える点に特徴を有する。
また、本発明のネットワークシステムの他の特徴とするところは、上記業務支援装置は、上記撮像装置の操作のためのユーザインターフェースを有する点にある。
また、本発明のネットワークシステムの他の特徴とするところは、上記業務支援装置は、画像データを端末に配信する配信手段を備える点にある。
【０００９】
本発明の業務支援装置は、撮像装置により撮像される画像データを取得してデジタル信号に変換する画像処理装置、及び、生産設備を制御するための生産制御システムそれぞれとネットワークを介して通信可能な業務支援装置であって、上記生産制御システムと連携して、上記画像処理装置に対して上記撮像装置の制御指示及び上記デジタル信号に変換された画像データの伝送指示の少なくともいずれかを行う制御手段を備える点に特徴を有する。
また、本発明の業務支援装置の他の特徴とするところは、上記制御手段は、上記生産制御システムから通知される操業イベント情報に基づいて、上記画像処理装置に対して上記撮像装置の制御指示及び上記デジタル信号に変換された画像データの伝送指示の少なくともいずれかを行う点にある。
また、本発明の業務支援装置の他の特徴とするところは、上記画像処理装置から伝送される画像データを、上記操業イベント情報を少なくとも含む情報と関連付けて記録装置に記録して管理する管理手段を備える点にある。
【００１０】
本発明の画像処理装置は、撮像装置が接続されるとともに、生産設備を制御するための生産制御システムと通信する業務支援装置とネットワークを介して通信可能とされた画像処理装置であって、上記撮像装置により撮像される画像データを取得する取得手段と、上記取得手段により取得した画像データをデジタル信号に変換する変換手段と、上記業務支援装置からの指示に応じて、上記撮像装置の制御及び上記変換手段によりデジタル信号に変換された画像データの伝送の少なくともいずれかを行う手段とを備える点に特徴を有する。
【００１１】
本発明の業務支援方法は、撮像装置により撮像される画像データを取得してデジタル信号に変換する画像処理装置と、生産設備を制御するための生産制御システムと、上記画像処理装置及び上記生産制御システムそれぞれと通信可能な業務支援装置とをネットワーク化して、上記生産制御システムを用いた業務を支援する業務支援方法であって、上記業務支援装置が、上記生産制御システムと連携して、上記画像処理装置に対して上記撮像装置の制御指示及び上記デジタル信号に変換された画像データの伝送指示の少なくともいずれかを行う手順を有する点に特徴を有する。
【００１２】
本発明のコンピュータプログラムは、撮像装置による撮像される画像データを取得してデジタル信号に変換する画像処理装置、及び、生産設備を制御するための生産制御システムそれぞれとネットワークを介して通信可能なコンピュータにおいて実行されるコンピュータプログラムであって、上記生産制御システムと連携して、上記画像処理装置に対して上記撮像装置の制御指示及び上記デジタル信号に変換された画像データの伝送指示の少なくともいずれかを行う制御処理を上記コンピュータに実行させる点に特徴を有する。
本発明の別のコンピュータプログラムは、撮像装置が接続されるとともに、生産設備を制御するための生産制御システムと通信する業務支援装置とネットワークを介して通信可能とされたコンピュータにおいて実行されるコンピュータプログラムであって、上記撮像装置により撮像される画像データを取得する処理と、上記取得した画像データをデジタル信号に変換する処理と、上記業務支援装置からの指示に応じて、上記撮像装置の制御及び上記変換手段によりデジタル信号に変換された画像データの伝送の少なくともいずれかを行う処理とを上記コンピュータに実行させる点に特徴を有する。
【発明の効果】
【００１３】
本発明によれば、生産制御システムと連携して、ネットワーク上の画像処理装置に対して撮像装置の制御指示や画像データの伝送指示を行うようにしたので、撮像装置により撮像される画像データを生産制御システムで時々刻々と変化するイベントと関連付けることが可能となり、生産制御システムの操業を監視し、更には解析するのに好適なデータを得ることができる。
【００１４】
特に、画像処理装置から伝送される画像データを、操業イベント情報を含む情報と関連付けて記録装置に記録して管理するようにすれば、操業イベント情報を含む情報とそれに対応する画像データとを一元的に管理することができる。したがって、例えば時刻指定だけでなくイベント指定等によりデータをリプレイすることができ、過去のデータとの対比等を簡単に行うことができる。
【発明を実施するための最良の形態】
【００１５】
以下、図面を参照して、本発明の好適な実施形態について説明する。図１には、本実施形態のネットワークシステムの全体構成を示す。本実施形態では、同図に示すネットワークシステムが生産施設のエリア内に構成されているものとする。
【００１６】
図１に示すように、生産施設内の設備等を撮像するカメラ１５０が接続された画像処理装置１００と、生産設備を制御するための生産制御システム２００と、画像処理装置１００及び生産制御システム２００それぞれと通信可能なサーバ装置３００とがイーサネット（Ｒ）を利用したＬＡＮ（ネットワーク機器４０１を含む）等のネットワーク４００介して接続されている。なお、本実施形態ではサーバ装置３００が本発明でいう業務支援装置として配設されたものである。
【００１７】
また、ネットワーク４００にはモニタ５０１を備えたパーソナルコンピュータ５００が接続されている。
【００１８】
また、ネットワーク４００にはアンテナ６００が接続されており、例えばサーバ装置３００は直接的に或いはアンテナ６００を介して携帯電話端末、ＰＤＡ、ＰＨＳ等の携帯端末７００と通信することができる。
【００１９】
なお、図１では、１台のカメラ１０１しか図示されていないが、複数台存在してもよい。また、画像処理装置１００とカメラ１０１とが、一対一で対応してもよいし、一対複数で対応してもよい。
【００２０】
図２には、ネットワーク４００上の画像処理装置１００、生産制御システム２００、サーバ装置３００、及びモニタ５０１を備えたパーソナルコンピュータ５００の機能構成を表わすブロック図を示す。
【００２１】
画像処理装置１００は、カメラ１０１により撮像される画像データを取得する取得部１５１と、取得部１５１により取得した画像データをデジタル信号に変換する変換部１５２と、デジタル信号に変換された画像データをネットワーク上でモニタリングできるようにするためのＷｅｂ化部１５３と、デジタル信号に変換された画像データを配信するための配信部１５４と、デジタル信号に変換された画像データをディスク等に録画するための録画部１５５と、カメラ１０１による撮像を開始するためのトリガー処理部１５６と、モニタ１０２に画像を表示するための表示部１５７とを備えている。
【００２２】
生産制御システム２００には、計算機２０１、電気品２０２、計装品２０３等が接続されている。生産業務システム２００は、設備の異常、材料のトラッキング、操業状態といった操業イベント情報を通知するための通知部２５１と、設備データ、操業データ、品質データ等を送信するための送信部２５２とを備えている。
【００２３】
サーバ装置３００には、後述するように画像データを記録するためのデータベース３０１と、カメラ１０１の操作のためのユーザインターフェースとなるカメラ操作装置３０２とが接続されている。業務支援サーバ３００は、画像処理装置１００や生産制御システム２００との通信処理を行う通信処理部３５１と、画像処理装置１００に対してカメラ１０１の制御指示や画像データの伝送指示等を行う制御部３５２と、画像処理装置１００から伝送される画像データを生産制御システム２００から通知される操業イベント情報等と関連付けてデータベース３０１に記録して管理する管理部３５３と、カメラ操作装置３０２からの操作を受け付ける操作受付部３５４と、画像データを配信する配信部３５５とを備えている。
【００２４】
モニタ５０１を備えたパーソナルコンピュータ５００は、画像データの配信を要求する要求部５５１と、画像データを受信する受信部５５２と、モニタ５０１に画像を表示するための表示部５５３とを備えている。
【００２５】
図３は、サーバ装置３００及び画像処理装置１００にて実行される各種処理を説明するための図である。同図において、左側に記述された処理はサーバ装置３００において実行されるものであり（Ｓ１、Ｓ５〜Ｓ９）、左右に記述された処理はサーバ装置３００と画像処理装置１００との間において実行されるものである（Ｓ２〜Ｓ４）。
【００２６】
サーバ装置３００では、ＴＣＰ／ＩＰ設定下でネットワーク４００に接続し、必要に応じてＩＤ設定やパスワード設定を行う（Ｓ１）。
【００２７】
また、サーバ装置３００でネットワーク４００上の画像処理装置１００及びカメラ１０１の検索を行うと、それに応答して、対応する画像処理装置１００がカメラナンバーを送信する（Ｓ２）。
【００２８】
また、サーバ装置３００では、画像処理装置１００に対する録画設定、再生設定、画像設定、カメラ制御設定を行うことができる（Ｓ３）。録画設定としては、録画を行う画像処理装置１００やカメラ１０１の特定、保存ファイル特定、画像形式、スナップショット・録画開始・停止・一時停止・再開等の設定がある。また、再生設定としては、再生を行う画像処理装置１００やカメラ１０１の特定、保存ファイル特定、再生時間、停止等の設定がある。また、画像設定としては、ライブ／録画、シングル／マルチ／フルスクリーン等がある。また、カメラ制御設定としては、方向（パン／チルト）、ズーム、フォーカス調整／自動、パン／チルト／ズームスピード、定位置指定等の設定がある。
【００２９】
また、サーバ装置３００では、画像処理装置１００に対するリアル画像取得設定、録画画像取得設定を行うことができ、それぞれに応答して、対応する画像処理装置１００がリアル画像データ、録画画像データを伝送する（Ｓ４）。リアル画像取得設定としては、画像処理装置１００やカメラ１０１の特定等の設定がある。また、録画画像取得設定としては、画像処理装置１００やカメラ１０１の特定に加えて、保存ファイル特定等の設定がある。
【００３０】
また、サーバ装置３００では、リアル画像表示設定、再生画像表示設定を行うことができる（Ｓ５）。リアル画像表示設定としては、表示端末の特定、シングル／マルチ／フルスクリーン等の設定がある。また、再生画像表示設定としては、表示端末の特定、シングル／マルチ／フルスクリーンに加えて、再生、停止、一時停止、最初へ、前へ、次へ、最後へ、スピードダウン、スピードアップ等の設定がある。
【００３１】
また、サーバ装置３００では、ネットワークイベント設定を行うことができる（Ｓ６）。ネットワークイベント設定としては、設備異常ナンバー、材料トラッキングナンバー、操業状態ナンバー対応の画像処理装置１００やカメラ１０１の特定、リアル画像取得設定、録画設定、録画画像取得設定、カメラ制御設定、外部Ｉ／Ｏ制御設定、電子メール通報設定、携帯端末配信設定等の設定がある。
【００３２】
また、サーバ装置３００では、データベース生成設定を行うことができる（Ｓ７）。データベース生成設定としては、設備異常ナンバー、材料トラッキングナンバー、操業状態ナンバー対応の編集データ設定（設備データ／操業データ／品質データ／画像データ）等の設定がある。
【００３３】
また、サーバ装置３００では、外部カメラ操作受付設定を行うことができる（Ｓ８）。外部カメラ操作受付設定としては、方向（パン／チルト）、ズーム、フォーカス調整／自動、パン／チルト／ズームスピード等の設定がある。
【００３４】
また、サーバ装置３００では、リプレイ設定を行うことができる（Ｓ９）。リプレイ設定としては、再生時刻指定／ネットワークイベント指定と編集データ（設備データ／操業データ／品質データ／画像データ）の個別指定等の設定がある。
【００３５】
次に、図１、２に示したネットワークシステムにおける主な処理動作の流れについて説明する。画像処理装置１００では、常時固定方式、内部タイマー（スケジュール）方式、モーションディテクション方式、外部信号方式等のトリガー処理の下で、或いは、後述するようにサーバ装置３００からカメラ制御設定情報を受信したときに、カメラ１０１を制御して、撮像された画像データをデジタル信号に変換し、Ｗｅｂ化して録画する。また、ネットワーク４００上の機器、例えばパーソナルコンピュータ５００から画像データの配信要求があった場合、パーソナルコンピュータ５００に画像データを配信してモニタリングできるようにする。
【００３６】
サーバ装置３００では、生産制御システム２００から設備の異常、材料のトラッキング、操業状態といった操業イベント情報の通知を待ち、操業イベント情報の通知をあった場合、同時に設備データ、操業データ、品質データ等を受信する。また、操業イベント情報の通知に同期して、カメラ制御設定情報を画像処理装置１００に送信するとともに、そのカメラ制御設定情報に応じた画像データを伝送してもらう。さらに、操業イベント情報の通知に同期して、画像処理装置１００に対して外部接点信号のＯＮ／ＯＦＦを要求するようにし、例えば画像処理装置１００に接続された図示しないランプ点灯等を制御するようにしてもよい。
【００３７】
同様に、カメラ操作装置３０２からの操作指示があったときも、その指示に従ってカメラ制御設定情報を画像処理装置１００に送信するとともに、そのカメラ制御設定情報に応じた画像データを伝送してもらう。
【００３８】
また、サーバ装置３００では、上記のように操業イベント情報の通知に同期して画像処理装置１００から伝送される画像データを、生産制御システム２００から通知された操業イベント情報、更には設備データ、操業データ、品質データ等と関連付けてデータベース３０１に記録して管理する。
【００３９】
また、サーバ装置３００では、自身を含むネットワーク上の機器からリプレイ要求があった場合、データベース３０１から編集データを検索する。この場合に、時刻指定だけでなく、イベント指定によりデータをリプレイすることができ、過去のデータとの対比等を簡単に行うことができる。
【００４０】
また、サーバ装置３００では、ネットワーク４００上の機器、例えば所定の携帯端末７００から画像データの配信要求があった場合、その携帯端末７００に画像データを配信する。
【００４１】
以上述べたように、生産制御システム２００と連携して、ネットワーク４００上の画像処理装置１００に対してカメラ１０１の制御指示や画像データの伝送指示を行うようにしたので、カメラ１００により撮像される画像データを生産制御システム２００で時々刻々と変化するイベントと関連付けることが可能となり、生産制御システム２００の操業を監視し、更には解析するのに好適なデータを得ることができる。
【００４２】
図１０は、本実施形態の業務支援装置たるサーバ装置３００を構成可能なハードウェア構成の一例を示す図である。同図に示すように、ＣＰＵ６５１と、ＲＯＭ６５２と、ＲＡＭ６５３と、キーボード（ＫＢ）６５９のキーボードコントローラ（ＫＢＣ）６５５と、表示部としてのディスプレイ（ＣＲＴ）６６０のディスプレイコントローラ（ＣＲＴＣ）６５６と、ハードディスク（ＨＤ）６６１及びフレキシブルディスク（ＦＤ）６６２のディスクコントローラ（ＤＫＣ）６５７と、ネットワー６７０との接続のためのネットワークインターフェースコントローラ（ＮＩＣ）６５８とが、システムバス６５４を介して互いに通信可能に接続されて構成されている。
【００４３】
ＣＰＵ６５１は、ＲＯＭ６５２或いはハードディスク６６１に記憶されたソフトウェア、或いはＦＤ６６２より供給されるソフトウェアを実行することで、システムバス６５４に接続された各構成部を総括的に制御する。すなわち、ＣＰＵ６５１は、所定の処理シーケンスに従った処理プログラムを、ＲＯＭ６５２、或いはハードディスク６６１、或いはフレキシブルディスク６６２から読み出して実行することで、上記本実施の形態での動作を実現するための制御を行う。ＲＡＭ６５３は、ＣＰＵ６５１の主メモリ或いはワークエリア等として機能する。
【００４４】
キーボードコントローラＫＢＣ６５５は、キーボードＫＢ６５９や図示していないポインティングデバイス等からの指示入力を制御する。ディスプレイコントローラ６５６は、ディスプレイ６６０の表示を制御する。ディスクコントローラ６５７は、ブートプログラム、種々のアプリケーション、編集ファイル、ユーザファイル、ネットワーク管理プログラム、及び本実施の形態における所定の処理プログラム等を記憶するハードディスク６６１及びフレキシブルディスク６６２とのアクセスを制御する。
【００４５】
ネットワークインターフェースコントローラ６５８は、ネットワーク６７０上の装置或いはシステムと双方向にデータをやりとりする。
【００４６】
なお、上述した実施形態の機能は、コンピュータがコンピュータプログラムを実行することによっても実現され、コンピュータプログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のコンピュータプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリ、ＲＯＭ等を用いることができる。
【００４７】
以上、本発明を種々の実施形態とともに説明したが、本発明はこれらの実施形態にのみ限定されるものではなく、本発明の範囲内で変更等が可能である。例えば上記実施形態では、デジタル信号に変換された画像データを画像処理装置１００に搭載されたディスク等に録画する構成とされているが、ネットワーク上の例えばサーバ装置３００等に録画のための記録装置を備えるようにしてもよい。
【図面の簡単な説明】
【００４８】
【図１】本実施形態のネットワークシステムの全体構成を示す図である。
【図２】ネットワーク上の各機器の機能構成を表わす図である。
【図３】サーバ装置及び画像処理装置にて実行される各種処理を説明するための図である。
【図４】サーバ装置を構成可能なハードウェア構成の一例を示す図である。
【符号の説明】
【００４９】
１００    画像処理装置
１０１    カメラ
１０２    モニタ
１５１    取得部
１５２    変換部
１５３    Ｗｅｂ化部
１５４    配信部
１５５    録画部
１５６    トリガー処理部
１５７    表示部
２００    生産制御システム
２０１    計算機
２０２    電気品
２０３    計装品
２５１    通知部
２５２    送信部
３００    サーバ装置
３０１    データベース
３０２    カメラ操作装置
３５１    通信処理部
３５２    制御部
３５３    管理部
３５４    操作受付部
３５５    配信部
４００    ネットワーク
５００    パーソナルコンピュータ
５０１    モニタ
５５１    要求部
５５２    受信部
５５３    表示部
６００    アンテナ
７００    携帯端末
【図１】
2005135303.tif 000003
【図２】
2005135303.tif 000004
【図３】
2005135303.tif 000005
【図４】
2005135303.tif 000006